【手続補正書】
【提出日】平成26年7月9日(2014.7.9)
【手続補正１】
【補正対象書類名】明細書
【補正対象項目名】０００１
【補正方法】変更
【補正の内容】
【０００１】
本発明は、遊技に関連する演出表示を行うことが可能な表示装置を備えた遊技機に関する。
【手続補正２】
【補正対象書類名】明細書
【補正対象項目名】０００６
【補正方法】変更
【補正の内容】
【０００６】
しかし、上記特許文献１のシステムや特許文献２の遊技機では、遊技非実行状態のみ電力を落とすので稼働がよい遊技機については意味をなさなかった。
【手続補正３】
【補正対象書類名】明細書
【補正対象項目名】０００７
【補正方法】変更
【補正の内容】
【０００７】
遊技店において遊技機の稼働がよいと消費電力量が膨大なものとなってしまっていた。
【手続補正４】
【補正対象書類名】明細書
【補正対象項目名】０００８
【補正方法】変更
【補正の内容】
【０００８】
本発明の目的は、消費電力量を削減することのできる遊技機の提供である。
【手続補正５】
【補正対象書類名】明細書
【補正対象項目名】０００９
【補正方法】変更
【補正の内容】
【０００９】
以上の課題を解決するため、請求項１に記載の発明は、遊技に関連する演出表示を行うことが可能な表示装置を備えた遊技機において、  遊技を統括的に制御する遊技制御手段と、
該遊技制御手段からの制御指令に基づいて、演出制御を行うことが可能な演出制御手段と、
外部から操作可能な操作手段と、を備え、
前記演出制御手段は、
当該遊技機にて遊技が行われていない場合に、前記操作手段の操作に基づいて、遊技中における前記表示装置の輝度を変更設定可能な輝度設定手段を備えることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項２に記載の発明は、請求項１に記載の遊技機であって、前記演出制御手段は、当該遊技機にて遊技が行われている場合に、前記操作手段の操作に基づいて、前記表示装置における演出表示に関連する演出を実行することが可能であることを特徴とする。  請求項３に記載の発明は、請求項１又は２に記載の遊技機であって、前記表示装置の輝度を含む遊技中の電力状態を、消費電力量の低減を行わない通常電力状態と、該通常電力状態よりも消費電力量を低減する省電力状態と、の何れかの電力状態で制御を行う電力制御手段と、
遊技者に所定の特典を付与可能な特典付与手段と、を備え、
前記操作手段の操作に基づいて、前記通常電力状態と、前記省電力状態と、の何れかの電力状態を選択可能であり、
前記特典付与手段は、
前記操作手段により選択された前記省電力状態において、所定条件が成立することに基づいて、遊技者に所定の特典を付与可能であることを特徴とする。  請求項３に記載の発明によれば、省電力状態において、所定条件が成立することに基づいて遊技者に所定の特典を付与可能であるので、消費電力量を削減し、環境問題への関心を高めることができる。また、従来にない特典付与形態となり、遊技の興趣が向上し、新たな遊技性を持たせることができる。
【手続補正８】
【補正対象書類名】明細書
【補正対象項目名】００１２
【補正方法】変更
【補正の内容】
【００１２】
請求項４に記載の発明は、請求項３に記載の遊技機であって、前記省電力状態には、
前記消費電力量を常時最大限に低減した状態とする強制省電力状態と、
特定条件成立に基づいて、前記消費電力量の低減量が異なる複数の段階から何れかの段階を設定する自動省電力状態と、が含まれることを特徴とする。
【手続補正９】
【補正対象書類名】明細書
【補正対象項目名】００１３
【補正方法】変更
【補正の内容】
【００１３】
請求項４に記載の発明によれば、遊技者の意思により消費電力量の削減形態を選択できる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項５に記載の発明は、請求項３又は４に記載の遊技機であって、始動条件の成立に基づいて、複数の識別情報を変動表示する変動表示ゲームを実行し、前記変動表示ゲームの結果が予め定められた特別結果となった場合に、遊技者に有利な特別遊技状態を発生するように構成され、
前記特典付与手段は、
前記省電力状態において、前記所定条件として、前記特別遊技状態が発生した場合には、当該発生した特別遊技状態において前記所定の特典を付与可能であることを特徴とする。
【手続補正１３】
【補正対象書類名】明細書
【補正対象項目名】００１７
【補正方法】変更
【補正の内容】
【００１７】
請求項５に記載の発明によれば、省電力状態であれば特典を得られるため、省電力状態を選択する動機付けとなり、効果的に消費電力量を削減することができる。また、従来にない特典付与形態となり、遊技の興趣が向上し、新たな遊技性を持たせることができる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
本発明によれば、消費電力量を削減することができる。
【手続補正２３】
【補正対象書類名】特許請求の範囲
【補正対象項目名】全文
【補正方法】変更
【補正の内容】
【特許請求の範囲】
【請求項１】
遊技に関連する演出表示を行うことが可能な表示装置を備えた遊技機において、
遊技を統括的に制御する遊技制御手段と、
該遊技制御手段からの制御指令に基づいて、演出制御を行うことが可能な演出制御手段と、
外部から操作可能な操作手段と、を備え、
前記演出制御手段は、
当該遊技機にて遊技が行われていない場合に、前記操作手段の操作に基づいて、遊技中における前記表示装置の輝度を変更設定可能な輝度設定手段を備えることを特徴とする遊技機。
【請求項２】
前記演出制御手段は、
当該遊技機にて遊技が行われている場合に、前記操作手段の操作に基づいて、前記表示装置における演出表示に関連する演出を実行することが可能であることを特徴とする請求項１に記載の遊技機。
【請求項３】
前記表示装置の輝度を含む遊技中の電力状態を、消費電力量の低減を行わない通常電力状態と、該通常電力状態よりも消費電力量を低減する省電力状態と、の何れかの電力状態で制御を行う電力制御手段と、
遊技者に所定の特典を付与可能な特典付与手段と、を備え、
前記操作手段の操作に基づいて、前記通常電力状態と、前記省電力状態と、の何れかの電力状態を選択可能であり、
前記特典付与手段は、
前記操作手段により選択された前記省電力状態において、所定条件が成立することに基づいて、遊技者に所定の特典を付与可能であることを特徴とする請求項１又は２に記載の遊技機。
【請求項４】
前記省電力状態には、
前記消費電力量を常時最大限に低減した状態とする強制省電力状態と、
特定条件成立に基づいて、前記消費電力量の低減量が異なる複数の段階から何れかの段階を設定する自動省電力状態と、が含まれることを特徴とする請求項３に記載の遊技機。
【請求項５】
始動条件の成立に基づいて、複数の識別情報を変動表示する変動表示ゲームを実行し、前記変動表示ゲームの結果が予め定められた特別結果となった場合に、遊技者に有利な特別遊技状態を発生するように構成され、
前記特典付与手段は、
前記省電力状態において、前記所定条件として、前記特別遊技状態が発生した場合には、当該発生した特別遊技状態において、前記所定の特典を付与するための特定演出を実行可能であることを特徴とする請求項３又は４に記載の遊技機。